(57)【要約】      （修正有）【課題】エネルギー披覆層を塗布し、遠赤外線を放出し、血行を促進するＩＣチップを有する保護ベルトを提供する。【解決手段】ＩＣチップを有する保護ベルト１００はベルト体１０を有する。ベルト体１０は複数の収容設置槽を有し、各収容設置槽にはそれぞれＩＣチップセット２０が設置される。各ＩＣチップセット２０は、２個の固定フィルム２１及び複数のＩＣチップ２０を有する。各固定フィルム２１間には各ＩＣチップ２０が包まれる。各固定フィルム２１はそれぞれ収容設置槽に固定される固定端２１２及び自由端２１１を有し、収容設置槽に収容され設置される。保護ベルト１００は使用者の皮膚表面に密着し、遠赤外線を放射でき、各固定フィルム２１の固定端２１２により収容設置槽に固定されるため、各固定フィルム２１は所定の箇所に位置する。使用者の着用の快適性を高め、ＩＣチップセット２０の放射効果を維持できる。【選択図】図１
0003213259.tif 000002
【実用新案登録請求の範囲】
【請求項１】
ベルト体及び複数のＩＣチップセットを有する保護ベルトであって、
前記ベルト体の一端には第一連接部が設置され、反対端には第二連接部が設置され、かつ、前記ベルト体は、複数の収容設置槽を有し、
各前記ＩＣチップセットは、２個の固定フィルム及び複数のＩＣチップを有し、各前記固定フィルム間には、前記複数のＩＣチップが覆われて包まれ、各前記ＩＣチップセットは、各前記収容設置槽に対応して設置され、各前記ＩＣチップセットの固定フィルムは、それぞれ前記収容設置槽に固定される固定端、及び自由端を有し、前記収容設置槽に収容され設置されることを特徴とする保護ベルト。
【請求項２】
各前記ＩＣチップは、金属基材であり、
各前記金属基材には、機能層が塗布されることを特徴とする請求項１に記載の保護ベルト。
【請求項３】
前記機能層は、銅、炭素、ケイ素、マンガン、リン、硫黄、ニッケル、ゲルマニウム、クロム、モリブデン、チタン、バナジウム、カルシウム、シリコン材質の一つ或いはその混合物を含むことを特徴とする請求項２に記載の保護ベルト。
【請求項４】
前記ベルト体は、第一布体と第二布体とを有し、
前記ベルト体は、第一側及び第二側を有し、
前記ベルト体は、前記第一側において、第一ステッチラインにより、前記第一布体と前記第二布体とが相互にミシン縫いされて固定され、
前記第一側に垂直な方向には、複数の第二ステッチラインが間隔を開けて設置され、前記第一布体と前記第二布体とが相互にミシン縫いされて固定され、
前記第一布体と前記第二布体間には、各前記収容設置槽が形成され、前記ベルト体は前記第二側に、各前記収容設置槽と相互に通じる開口端がそれぞれ形成されることを特徴とする請求項１に記載の保護ベルト。
【請求項５】
各前記固定フィルムの固定端は、それぞれ前記ベルト体の開口端に位置し、第三ステッチラインにより、各前記固定フィルムの固定端が前記ベルト体の開口端に固定され、
同時に前記ベルト体の開口端が封鎖され、各前記固定フィルムの自由端は、それぞれ前記ベルト体の第一側に対応して設置されることを特徴とする請求項４に記載の保護ベルト。
【請求項６】
各前記固定フィルムの自由端と前記ベルト体の第一側とは、間隔距離を形成することを特徴とする請求項５に記載の保護ベルト。
【請求項７】
前記ベルト体の前記第二側は、前記第一側の上方に設置され、
各前記固定フィルムの固定端が、前記第二側に固定されると、各前記固定フィルムの自由端は、重力を受けて自然に下垂することを特徴とする請求項４に記載の保護ベルト。
【考案の詳細な説明】
【技術分野】
【０００１】
本考案は保護ベルトに関し、特にＩＣチップを有する保護ベルトに関する。
【背景技術】
【０００２】
人々の生活水準が向上し、健康に対する意識が高まっている現在、遠赤外線等製品を利用し体調管理を行う機会が増えている。
遠赤外線を人体に密着させると、微量のエネルギーを発散し、人体水分子により共振吸収され、大きい水分子集団を小さい水分子集団に分解し変形振動を起こす。
これにより、血行を促進し、新陳代謝を強化すると同時に、殺菌と消臭の作用等も備える。
遠赤外線を人体に密着させるためには、遠赤外線保護ベルト等を使用し、人体の皮膚表面に密着させる必要がある。
【０００３】
従来の保護ベルトは、保護ベルト本体上に、複数の収容設置槽を設置し、収容設置槽中にＩＣチップセットを入れ、ＩＣチップセットのＩＣチップには、エネルギー披覆層を塗布する。
こうして、エネルギー披覆層を刺激することで、放射出最良波長の遠赤外線を放出し、血行を促進する。
【０００４】
しかしながら、従来ＩＣチップセットは収容設置槽に収容されるため、使用者が移動或いは姿勢を変えると、ＩＣチップセットもそれに従い動き、湾曲或いは折れ重なる。
これにより、位置がずれてしまい、使用者は不快を感じ、手でＩＣチップセットの位置を調整する必要が生じる。
しかも、ＩＣチップセットの位置がずれると、遠赤外線のカバー面積が減ってしまい、製品の効果が大幅に低下するばかりか、ＩＣチップが傾斜状態で人体表面に接触することで、使用者の不快を招いてしまう。
【考案の概要】
【考案が解決しようとする課題】
【０００５】
前記先行技術には、使用者が移動或いは姿勢を変えると、ＩＣチップセットもそれに従い動き、湾曲或いは折れ重なるため、位置がずれることで使用者が不快を感じ、手でＩＣチップセットの位置を調整する必要が生じるという欠点がある。また、遠赤外線のカバー面積が減ってしまい、製品の効果が大幅に低下するばかりか、ＩＣチップが傾斜状態で人体表面に接触することで、使用者の不快を招いてしまうという欠点がある。
【課題を解決するための手段】
【０００６】
本考案はＩＣチップを有する保護ベルトに関する。
【０００７】
本考案によるＩＣチップを有する保護ベルトは、ベルト体及び複数のＩＣチップセットを有する。
該ベルト体の一端には第一連接部が設置され、反対端には第二連接部が設置される。かつ、該ベルト体は、複数の収容設置槽を有する。
該各ＩＣチップセットは、２個の固定フィルム及び複数のＩＣチップを有する。
該各固定フィルム間には、該複数のＩＣチップが覆われて包まれる。
該各ＩＣチップセットは、該各収容設置槽に対応して設置され、該各ＩＣチップセットの固定フィルムは、それぞれ該収容設置槽に固定される固定端及び自由端を有し、該収容設置槽に収容して設置される。
これにより、該各固定フィルムの固定端により該収容設置槽に固定され、該各固定フィルムは所定の箇所に位置する。したがって、使用者の着用の快適性を高め、ＩＣチップセットの放射効果を維持できる。
【図面の簡単な説明】
【０００８】
【図１】本考案による第一実施形態の斜視図である。
【図２】本考案による第一実施形態の部分分解斜視図である。
【図３】本考案による第一実施形態の断面図である。
【図４】本考案による第一実施形態の使用模式図であり、本考案を首プロテクターに応用する様子を示す。
【図５】本考案による第二実施形態の使用模式図であり、本考案を腕プロテクターに応用する様子を示す。
【図６】本考案による第三実施形態の使用模式図であり、本考案を腰プロテクターに応用する様子を示す。
【考案を実施するための形態】
【０００９】
（一実施形態）
本考案による第一実施形態の斜視図、部分解斜視図及び断面図である図１、図２及び図３に示す通り、第一実施形態によるＩＣチップを有する保護ベルト１００は、ベルト体１０、複数のＩＣチップセット２０を有する。
【００１０】
ベルト体１０の一端には、第一連接部１１が設置され、反対端には、第二連接部１２が設置される。
第一連接部１１は、オス面ファスナーで、第二連接部１２は、メス面ファスナーである。
ベルト体１０は、第一布体１３と第二布体１４とを有する。
ベルト体１０は、第一側１５及び第二側１６を有する。
ベルト体１０は、第一側１５において、第一ステッチライン１５１により、第一布体１３と第二布体１４とが相互にミシン縫いされて固定される。
しかも、第一側１５に垂直な方向には、複数の第二ステッチライン１５２が間隔を開けて設置され、第一布体１３と第二布体１４とが相互にミシン縫いされて固定される。
これにより、第一布体１３と第二布体１４との間には、複数の収容設置槽１７が形成され、ベルト体１０は第二側１６に、各収容設置槽１７と相互に通じる開口端１８がそれぞれ形成される。
【００１１】
各ＩＣチップセット２０は、２個の固定フィルム２１及び複数のＩＣチップ２２を有する。
各固定フィルム２１間には、複数のＩＣチップ２２が覆われて包まれる。
固定フィルム２１は、可撓性を備えるＥＶＡ、ＰＥ、ＴＰＲ或いはＴＰＵ等材質により構成される。
各固定フィルム２１は、それぞれ固定端２１１及び自由端２１２を有する。
各固定フィルム２１の固定端２１１は、それぞれベルト体１０の開口端１８に位置し、第三ステッチライン１８１により、各固定フィルム２１の固定端２１１はベルト体１０の開口端１８に固定され、同時にベルト体１０の開口端１８が封鎖される。
【００１２】
各固定フィルム２１の自由端２１２は、収容設置槽１７に収容され設置され、しかもそれぞれベルト体１０の第一側１５に対応して設置される。
各固定フィルム２１の自由端２１２とベルト体１０の第一側１５とは、間隔距離１７１を形成する。
本実施形態において、ベルト体１０の第二側１６は、第一側１５の上方に設置される。
これにより、各固定フィルム２１の固定端２１１が、第二側１６に固定されると、各固定フィルム２１の自由端２１２は、重力を受けて自然に下垂する。
また、各ＩＣチップ２２は、金属基材２３で、各金属基材２３には、機能層２４が塗布される。
機能層２４は、銅、炭素、ケイ素、マンガン、リン、硫黄、ニッケル、ゲルマニウム、クロム、モリブデン、チタン、バナジウム、カルシウム、シリコン等の材質を含み、比率に基づき、混合して形成される。
【００１３】
本考案による第一実施形態の使用模式図であり、本考案を首プロテクターに応用する様子を示す図４に示す通り、使用者がＩＣチップを有する保護ベルト１００を頚部に嵌めて設置すると、各固定フィルム２１は、可撓性を備える材質により構成されるため、頚部の湾曲に従い、皮膚表面に密着する。
人の体温は３２〜３７℃であるが、この温度は各ＩＣチップ２２の機能層２４の作用をちょうど刺激でき、これにより機能層２４は最良の８〜１４μｍの遠赤外線ＰＥＷを放出でき、頚部の血液循環を促進する。
【００１４】
各固定フィルム２１の固定端２１１は、ベルト体１０の開口端１８にミシン縫いで固定されるため、使用者が腰を曲げるなどの活動を行っても、各固定フィルム２１の固定端２１１は、各固定フィルム２１の自由端を自由に移動させ、各固定フィルム２１は湾曲を生じて、人体表面に密着する。
使用者が直立状態を回復すると、各固定フィルム２１の自由端は、重力を受けて自由に下垂し、こうして人体表面に密着する。
これにより、各固定フィルム２１は所定の箇所に位置され、使用者の着用の快適性を高め、ＩＣチップセットの放射効果を維持できる。
【００１５】
各固定フィルム２１の自由端２１２とベルト体１０の第一側１５は、間隔距離１７１を形成する。ベルト体１０が力を受けて変形すると、各固定フィルム２１の自由端２１２は、ベルト体１０の第一側１５に接触せず、圧迫変形を生じないため、使用者の快適性を維持することができる。
最後に使用者が直立状態を回復すると、各固定フィルム２１の自由端２１２は、重力を受けて自由に下垂し、こうして人体表面に密着する。
これにより、各固定フィルム２１は所定の箇所に位置され、使用者の着用の快適性を高め、各ＩＣチップセット２０の放射効果を維持することができる。
【００１６】
本考案による第二実施形態の使用模式図であり、本考案を腕プロテクターに応用する様子を示す図５に示す通り、本考案第二実施形態と前述の第一実施形態の違いは以下の通りである。
使用者がＩＣチップを有する保護ベルト１００を腕に嵌めて設置すると、腕の血液循環を促進することができる。
【００１７】
本考案による第三実施形態の使用模式図であり、本考案を腰プロテクターに応用する様子を示す図６に示す通り、本考案第三実施形態と前述の第一実施形態の違いは以下の通りである。
使用者がＩＣチップを有する保護ベルト１００を腰に嵌めて設置すると、腰の血液循環を促進することができる。
【００１８】
前述した本考案の実施形態は本考案を限定するものではなく、よって、本考案により保護される範囲は実用新案登録請求の範囲を基準とする。
【符号の説明】
【００１９】
１００  ＩＣチップを有する保護ベルト、
１０  ベルト体、
１１  第一連接部、
１２  第二連接部、
１３  第一布体、
１４  第二布体、
１５  第一側、
１５１  第一ステッチライン、
１５２  第二ステッチライン、
１６  第二側、
１７  収容設置槽、
１７１  間隔距離、
１８  開口端、
１８１  第三ステッチライン、
２０  ＩＣチップセット、
２１  固定フィルム、
２１１  自由端、
２１２  固定端、
２２  ＩＣチップ、
２３  金属基材、
２４  機能層。
【図１】
0003213259.tif 000003
【図２】
0003213259.tif 000004
【図３】
0003213259.tif 000005
【図４】
0003213259.tif 000006
【図５】
0003213259.tif 000007
【図６】
0003213259.tif 000008